(57)【要約】【課題】例えば各種車両のブレーキ機構やホイール等のクリーナー等として用いられる洗浄剤組成物において、火災等のリスクを低減させることができ、油分、特にフッ素オイルを溶解除去して洗浄することができる不燃性洗浄剤組成物を提供する。【解決手段】本発明に係る不燃性洗浄剤組成物は、シス−１−クロロ−３，３，３−トリフルオロプロペンと、ＨＦＣ系溶剤とを含有してなり、質量比（シス−１−クロロ−３，３，３−トリフルオロプロペン／ＨＦＣ系溶剤）が５０／５０〜８５／１５の範囲であり、引火点がない、ことを特徴とする。また、その質量比は、８０／２０〜８５／１５の範囲であることがより好ましい。【選択図】なし【特許請求の範囲】
【請求項１】
シス−１−クロロ−３，３，３−トリフルオロプロペンと、ＨＦＣ系溶剤とを含有してなり、質量比（シス−１−クロロ−３，３，３−トリフルオロプロペン／ＨＦＣ系溶剤）が５０／５０〜８５／１５の範囲であり、引火点がない
不燃性洗浄剤組成物。
【請求項２】
前記質量比（シス−１−クロロ−３，３，３−トリフルオロプロペン／ＨＦＣ系溶剤）が、８０／２０〜８５／１５の範囲である
請求項１に記載の不燃性洗浄剤組成物。
【請求項３】
前記ＨＦＣ系溶剤は、１，１，１，２，２，３，３，４，４，５，５，６，６−トリデカフルオロヘキサン、１，１，１，２，２，３，３，４，４，５，５，６，６−トリデカフルオロオクタン、１，１，１，２，２，３，４，５，５，５−デカフルオロペンタン、１，１，２，２，３，３，４−ヘプタフルオロシクロペンタン、１，１，１，３，３−ペンタフルオロブタン、及びトランス−１，３，３，３−テトラフルオロ−１−プロペンからなる群から選択される１種以上である
請求項１又は２に記載の不燃性洗浄剤組成物。
【請求項４】
シス−１−クロロ−３，３，３−トリフルオロプロペンとＨＦＣ系溶剤とを含む基液と、噴射剤と、を含有してなり、
前記基液は、質量比（シス−１−クロロ−３，３，３−トリフルオロプロペン／ＨＦＣ系溶剤）が５０／５０〜８５／１５の範囲であり、引火点がない
洗浄用エアゾール組成物。
【請求項５】
前記噴射剤は、ハイドロフルオロフィン（ＨＦＯ）又は圧縮ガスである
請求項４に記載の洗浄用エアゾール組成物。
【発明の詳細な説明】
【技術分野】
【０００１】
本発明は、不燃性の洗浄剤組成物に関するものであり、例えば、自動車等の車両のブレーキ部品等に付着した油分、特にフッ素オイルに対して優れて洗浄性を有し、火災等のリスクも低減させた不燃性洗浄剤組成物に関する。
【背景技術】
【０００２】
自動車、自転車、建機、航空機、鉄道車両等の各種の車両、輸送機関等において、ブレーキやホイール、サスペンション等の部品は、金属や樹脂等により構成されている。
【０００３】
このようなブレーキ等の機構においては、使用に伴って油分や汚れ等がその表面に付着し、その性能の低下をもたらす。また、付着した成分によっては、金属表面を腐食させ、所期の性能が損なわれてしまうこともある。
【０００４】
また、ブレーキ等の各種機構においては、その性能を維持、向上するために、潤滑油や潤滑グリース等の油分が必要部位に塗布される。ところが、車両におけるブレーキ部品やその他の可動部分に潤滑剤を塗布すると、車両の使用（例えば走行中など）により、意図せずにブレーキパッドやローターに潤滑剤が付着し、その結果として性能（ブレーキの制動性等）の低下を促進させる可能性がある。
【０００５】
そこで、ブレーキ機構等に意図せず付着した油分等の汚れを洗浄除去するために、種々の洗浄剤組成物が提案されている（例えば、特許文献１等）。
【０００６】
さて、例えば上述のような車両におけるブレーキ機構等の性能を維持、向上させるために塗布する潤滑剤として、その基油にフッ素オイルを用いたものが多用されている。フッ素オイルは、直鎖状のものと側鎖状のものとがある油成分であり、高価であるものの、潤滑性、耐熱性、対腐食性、対樹脂性、対ゴム性等に優れているという観点から、例えばグリース組成物や潤滑油組成物の基油として多用されている。
【０００７】
しかしながら、従来の洗浄剤組成物においては、フッ素オイルに対する洗浄性が十分ではなかった。また、洗浄剤組成物としては、使用環境に依存せず、火災等のリスクを低減させ、高い安全性でもって使用できるものであることが望まれている。
【先行技術文献】
【特許文献】
【０００８】
【特許文献１】特開２０１７−２００９８９号公報
【発明の概要】
【発明が解決しようとする課題】
【０００９】
本発明は、このような実情に鑑みて提案されたものであり、例えば各種車両のブレーキ機構やホイール等の装置部品のクリーナー等として用いられる洗浄剤組成物において、火災等のリスクを低減させることができ、油分、特にフッ素オイルを溶解除去して洗浄することができる不燃性洗浄剤組成物を提供することを目的とする。
【課題を解決するための手段】
【００１０】
本発明者らは、上述した課題を解決するために鋭意検討を重ねた。その結果、シス−１−クロロ−３，３，３−トリフルオロプロペンと、ＨＦＣ系溶剤とを、特定の質量比で含有させてなる組成物によれば、不燃性を示し、フッ素オイルを有効に溶解して除去することができることを見出し、本発明を完成するに至った。
【００１１】
（１）本発明の第１の発明は、シス−１−クロロ−３，３，３−トリフルオロプロペンと、ＨＦＣ系溶剤とを含有してなり、質量比（シス−１−クロロ−３，３，３−トリフルオロプロペン／ＨＦＣ系溶剤）が５０／５０〜８５／１５の範囲であり、引火点がない、不燃性洗浄剤組成物である。
【００１２】
（２）本発明の第２の発明は、第１の発明において、前記質量比（シス−１−クロロ−３，３，３−トリフルオロプロペン／ＨＦＣ系溶剤）が、８０／２０〜８５／１５の範囲である、不燃性洗浄剤組成物である。
【００１３】
（３）本発明の第３の発明は、第１又は第２の発明において、前記ＨＦＣ系溶剤は、１，１，１，２，２，３，３，４，４，５，５，６，６−トリデカフルオロヘキサン、１，１，１，２，２，３，３，４，４，５，５，６，６−トリデカフルオロオクタン、１，１，１，２，２，３，４，５，５，５−デカフルオロペンタン、１，１，２，２，３，３，４−ヘプタフルオロシクロペンタン、１，１，１，３，３−ペンタフルオロブタン、及びトランス−１，３，３，３−テトラフルオロ−１−プロペンからなる群から選択される１種以上である、不燃性洗浄剤組成物である。
【００１４】
（４）本発明の第４の発明は、シス−１−クロロ−３，３，３−トリフルオロプロペンとＨＦＣ系溶剤とを含む基液と、噴射剤と、を含有してなり、前記基液は、質量比（シス−１−クロロ−３，３，３−トリフルオロプロペン／ＨＦＣ系溶剤）が５０／５０〜８５／１５の範囲であり、引火点がない、洗浄用エアゾール組成物である。
【００１５】
（５）本発明の第５の発明は、第４の発明において、前記噴射剤は、ハイドロフルオロフィン（ＨＦＯ）である、洗浄用エアゾール組成物である。
【発明の効果】
【００１６】
本発明によれば、火災等のリスクを低減させることができ、油分、特にフッ素オイルを溶解除去して洗浄することができる不燃性洗浄剤組成物を提供することができる。
【発明を実施するための形態】
【００１７】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。
【００１８】
≪１．不燃性洗浄剤組成物≫
本実施の形態に係る不燃性洗浄剤組成物は、シス−１−クロロ−３，３，３−トリフルオロプロペンと、ＨＦＣ系溶剤とを含有してなる。そして、その質量比（シス−１−クロロ−３，３，３−トリフルオロプロペン／ＨＦＣ系溶剤）が５０／５０〜８５／１５の範囲であり、引火点がない、ことを特徴としている。
【００１９】
このような不燃性洗浄剤組成物は、例えば、自動車や自転車、航空機、鉄道車両等の各種車両におけるブレーキやホイール等の部品に付着した油分を洗浄するための好適に用いられる。特に、フッ素オイルに対して優れた溶解性を有し、車両におけるブレーキ部品等に付着したフッ素オイルを有効に洗浄除去することができる。
【００２０】
ここで、フッ素オイルとは、ポリアルキルエーテル化合物における水素原子の一部又は全部をフッ素で置換した物質であり、パーフルオロエーテル等が挙げられる。フッ素オイルは、大別して直鎖タイプと側鎖タイプとがあり、４０℃での動粘度が１０００ｍｍ２／ｓ前後の高粘度品から、４０℃での動粘度が１５ｍｍ２／ｓ程度の低粘度品まで様々の種類がある。なお、フッ素オイルは、常温では、液状又はグリース状である。
【００２１】
［シス−１−クロロ−３，３，３−トリフルオロプロペン］
シス−１−クロロ−３，３，３−トリフルオロプロペンは、ハイドロフルオロオレフィン（ＨＦＯ）系の溶剤である。シス−１−クロロ−３，３，３−トリフルオロプロペンは、引火点がなく、不燃性の溶剤である。また、地球温暖化係数が低く、環境性にも優れているという性質を有する。
【００２２】
なお、シス−１−クロロ−３，３，３−トリフルオロプロペンは、セントラル硝子株式会社製の１２３３Ｚ等が市販されており、好適に用いることができる。
【００２３】
［ＨＦＣ系溶剤］
本実施の形態に係る不燃性洗浄剤組成物は、シス−１−クロロ−３，３，３−トリフルオロプロペンと共に、ＨＦＣ系溶剤を含有する。ＨＦＣ系溶剤は、引火点がなく、不燃性の溶剤である。このように、シス−１−クロロ−３，３，３−トリフルオロプロペンに対してＨＦＣ系溶剤を、特定の質量比で組み合わせることによって、特にフッ素オイルに対して溶解性が高まり、有効に洗浄することができる。また、いずれの溶剤も引火点がないため、不燃性の性質を有し、火災等のリスクを有効に低減することができる。
【００２４】
ＨＦＣ系溶剤としては、例えば、１，１，１，２，２，３，３，４，４，５，５，６，６−トリデカフルオロヘキサン、１，１，１，２，２，３，３，４，４，５，５，６，６−トリデカフルオロオクタン、１，１，１，２，２，３，４，５，５，５−デカフルオロペンタン、１，１，２，２，３，３，４−ヘプタフルオロシクロペンタン、１，１，１，３，３−ペンタフルオロブタン、トランス−１，３，３，３−テトラフルオロ−１−プロペン等を挙げることができ、これら溶剤を１種単独で、あるいは２種以上を併せて用いることができる。
【００２５】
ここで、不燃性洗浄剤組成物において、シス−１−クロロ−３，３，３−トリフルオロプロペンとＨＦＣ系溶剤との質量比（シス−１−クロロ−３，３，３−トリフルオロプロペン／ＨＦＣ系溶剤）は、５０／５０〜８５／１５の範囲である。この質量比の範囲を超えると、フッ素オイルに対する溶解性が低下し、そのフッ素オイルを有効に洗浄除去することができない。
【００２６】
また、質量比（シス−１−クロロ−３，３，３−トリフルオロプロペン／ＨＦＣ系溶剤）は、８０／２０〜８５／１５の範囲であることがより好ましい。このような質量比の範囲であることにより、フッ素オイルだけでなく、合成油や鉱物油、ブレーキ部品に用いられるブレーキフルードオイル等の油分についての洗浄性が向上する。
【００２７】
［その他の成分］
本実施の形態に係る不燃性洗浄剤組成物においては、不燃性を確保し、また、シス−１−クロロ−３，３，３−トリフルオロプロペンとＨＦＣ系溶剤との特定の質量比によるフッ素オイルに対する溶解性を損なわない範囲で、必要に応じて、ＨＦＥ系溶剤等の他の溶剤や、各種の添加剤を含有させてもよい。
【００２８】
≪２．洗浄用エアゾール組成物≫
上述した構成を有する不燃性洗浄剤組成物は、洗浄用エアゾール組成物としても適用することができる。具体的には、洗浄用エアゾール組成物は、シス−１−クロロ−３，３，３−トリフルオロプロペンとＨＦＣ系溶剤とを含む基液と、噴射剤と、を含有してなる。そして、基液においては、質量比（シス−１−クロロ−３，３，３−トリフルオロプロペン／ＨＦＣ系溶剤）が５０／５０〜８５／１５の範囲であり、引火点がない。
【００２９】
噴射剤は、炭酸ガスや窒素ガス等の圧縮ガスや、不燃性の噴射剤であるフルオロカーボン類（ハイドロクロロフルオロカーボン（ＣＦＣ）、ハイドロフルオロカーボン（ＨＦＣ）等を用いることができる。その中でも特に、噴射剤として、ハイドロフルオロフィン（ＨＦＯ）を用いることが好ましい。
【００３０】
ハイドロフルオロフィン（ＨＦＯ）は、炭素（Ｃ）原子、フッ素（Ｆ）原子、水素（Ｈ）原子から構成され、不飽和結合（Ｃ＝Ｃ）を有するフッ素化合物であり、ＨＦＣ等よりも地球温暖化係数が低く、また、燃焼性の低いものであり、引火源の近くでも有効に使用することができる。
【００３１】
具体的に、ハイドロフルオロオレフィンは、例えば、１，３，３，３−テトラフルオロ−１−プロペン、２，３，３，３−テトラフルオロ−１−プロペン、２，３，３−トリフルオロ−１−プロペン、３，３，３−トリフルオロ−１−プロペン等が挙げられる。なお、このようなハイドロフルオロオレフィンとしては、例えば、ハネウェルジャパン株式会社製のソルスティスＨＦＯ−１２３４ｚｅ、三井・デュポンフロロケミカル株式会社製のバートレルサイオン等が市販されており、好適に用いることができる。
【実施例】
【００３２】
以下、本発明の実施例を示してより具体的に説明するが、本発明は以下の実施例に何ら限定されるものではない。
【００３３】
≪試料について≫
実施例の洗浄剤組成物の試料として、シス−１−クロロ−３，３，３−トリフルオロプロペンと各種のＨＦＣ系溶剤とを、任意の割合でそれぞれ配合して調整し。下記表１〜表６に、それぞれの成分の質量比を示す。
【００３４】
比較例１、２の洗浄剤組成物の試料として、市販のブレーキクリーナーを用いた。具体的には、比較例１では、ブレーキクリーナー１石タイプ（原液）（ＣＲＣパーツクリーナー，呉工業株式会社製）を用い、比較例２では、ブレーキクリーナー２石タイプ（原液）（ＣＲＣ遅乾性パーツクリーナー，呉工業株式会社製）を用いた。また、比較例３の洗浄剤組成物の試料として、ＨＦＯ系溶剤（シス−１−クロロ−３，３，３−トリフルオロプロペン）を単体で用いた。
【００３５】
なお、参考例として、各種のＨＦＣ系溶剤を単体で用いた試料を準備した。具体的には、以下のＨＦＣ系溶剤を単体で洗浄剤組成物として用いた。
（参考例１）
１，１，１，２，２，３，３，４，４，５，５，６，６−トリデカフルオロヘキサン
（参考例２）
１，１，１，２，２，３，３，４，４，５，５，６，６−トリデカフルオロオクタン
（参考例３）
１，１，１，２，２，３，４，５，５，５−デカフルオロペンタン
（参考例４）
１，１，２，２，３，３，４−ヘプタフルオロシクロペンタン
（参考例５）
１，１，１，３，３−ペンタフルオロブタン
（参考例６）
トランス−１，３，３，３−テトラフルオロ−１−プロペン
【００３６】
≪試験方法について≫
［洗浄性評価］
・試験方法
対象油脂と洗浄剤組成物とをスクリュー瓶に容量比で１００：１００の割合で滴下し、その後、上下に数回振って混合した。
・判定
混合の結果、洗浄剤組成物に油脂が溶解したか否かを判断した。下記の各表での評価として、完全に溶解した場合を『溶解』あるいは『○』で示し、分離したり白濁したりして十分に溶解しなかった場合を『不溶』あるいは『×』で示す。なお、対象油脂のフッ素オイルに対する評価では、直鎖フッ素オイルと側鎖フッ素オイルのそれぞれに対する溶解性の総合評価を行い、いずれのフッ素オイルも完全溶解した場合を『○』、いずれか一方のフッ素オイルが不溶であった場合を『△』、いずれのフッ素オイルも不要であった場合を『×』として評価した。フッ素オイルとしては、パーフルオロエーテル（ソルベイソレクシス社製，直鎖タイプ：ＦＯＭＢＬＩＮ（登録商標）Ｍ、側鎖タイプ：ＦＯＭＢＬＩＮ（登録商標）Ｙ）を用いた。
【００３７】
［可燃性評価］
・試験方法
ＪＩＳ  Ｋ  ２２６５−１（２００７）に準拠したタグ密閉式引火点試験方法により、引火点測定を行った。
【００３８】
・判定
引火点測定の結果、引火点が認められた場合（引火点ありの場合）を『あり』とし、引火点が認められなかった場合（引火点なしの場合）を『なし』として評価した。
【００３９】
≪結果≫
下記１〜表６に、実施例の洗浄剤組成物についての組成と試験評価を示す。また、下記表７に、比較例及び参照例の洗浄剤組成物についての試験評価を示す。
【００４０】
【表１】
2019143111.tif 000002
【００４１】
【表２】
2019143111.tif 000003
【００４２】
【表３】
2019143111.tif 000004
【００４３】
【表４】
2019143111.tif 000005
【００４４】
【表５】
2019143111.tif 000006
【００４５】
【表６】
2019143111.tif 000007
【００４６】
【表７】
2019143111.tif 000008